(57)【要約】【課題】  記録媒体に録画した情報を別の記録媒体に複製・移動することがある場合に、複製・移動の際の記録方式の煩わしい設定を回避すると共に、情報を分類・整理することを可能にしてユーザビリティを向上することができる情報記録方法及び装置を提供する。【解決手段】  第１記録媒体ＤＶＤと同一の記録容量で区切った特定記録領域２１を第２記録媒体ＨＤＤに確保し、第２記録媒体ＨＤＤの特定記録領域２１への記録の指示に応答して、目的の情報は、第１記録媒体ＤＶＤへ記録する場合と同一の記録形式で第２記録媒体ＨＤＤに記録される。特定記録領域２１への記録が完了した後に、第２記録媒体ＨＤＤに記録された情報は、第１記録媒体ＤＶＤの記録形式と同一形式であるため、高速で第１記録媒体ＤＶＤに記録される。特定記録領域２１は複数個設定可能であり、放送番組等の映像データの情報は、各特定記録領域２１に整理して記録することができる。【選択図】      図２
2005276389.tif 000002
【特許請求の範囲】
【請求項１】
第１記録媒体と同一の記録容量で区切った特定記録領域を第２記録媒体に確保し、前記第２記録媒体の前記特定記録領域への記録が指示されることに応答して前記第１記録媒体へ記録する場合と同一の記録形式で目的の情報を前記第２記録媒体に記録し、前記第２記録媒体の前記特定記録領域への記録が完了した後に前記第２記録媒体に記録された前記情報を読出し、読み出された前記情報を前記第１記録媒体に記録させることから成る情報記録再生方法。
【請求項２】
前記第１記録媒体は着脱型又は内蔵型の記録媒体であり、前記第２記録媒体は内蔵型の記録媒体であることから成る請求項１に記載の情報記録再生方法。
【請求項３】
第１記録媒体に対する情報の記録と前記第１記録媒体に記録された情報の再生を行う第１記録再生手段と、前記第１記録媒体と同一の記録容量で区切った特定記録領域が確保されている第２記録媒体と、前記第２記録媒体に対する情報の記録と前記第２記録媒体に記録された情報の再生を行なう第２記録再生手段と、前記第２記録媒体の前記特定記録領域を前記第１記録媒体に対応した仮想的な第３記録媒体として提示する提示手段と、前記第３記録媒体に対する情報の記録の指示に応答して前記第２記録再生手段により前記第２記録媒体の前記特定記録領域に対して目的の前記情報を記録させる記録制御手段とを備えていることから成る情報記録再生装置。
【請求項４】
前記第１記録媒体に対する情報の記録と前記第１記録媒体に記録された情報の再生を行う記録再生手段を備えた別の情報記録再生装置とネットワーク接続する接続手段と、前記接続手段を通じて前記情報を送受信する情報信号送受信手段とを更に備えていることから成る請求項３に記載の情報記録再生装置。
【請求項５】
上記接続手段は、ＩＥＥＥ１３９４シリアルバスであることから成る請求項４に記載の情報記録再生装置。
【請求項６】
前記第１記録媒体は着脱型又は内蔵型の記録媒体であり、前記第２記録媒体は内蔵型の記録媒体であることから成る請求項３又は４に記載の情報記録再生装置。
【請求項７】
前記記録制御手段は、前記第２記録再生手段により前記第２記録媒体の前記特定記録領域に対して、前記第１記録媒体へ記録する場合と同一の記録形式で前記情報を記録させることから成る請求項３又は４に記載の情報記録再生装置。
【請求項８】
前記記録制御手段は、前記第１記録媒体を認識し、前記第２記録媒体を前記第１記録媒体と同一の前記記録容量で自動的に区切ることにより前記第２記録媒体に前記特定記録領域を確保することから成る請求項３又は４に記載の情報記録再生装置。
【請求項９】
前記特定記録領域は、複数設定されることから成る請求項３又は４に記載の情報記録再生装置。
【請求項１０】
前記各特定記録領域は、異なる記録容量で設定可能であることから成る請求項９に記載の情報記録再生装置。
【請求項１１】
前記各特定記録領域は、異なる記録形式で記録可能であることから成る請求項９に記載の情報記録再生装置。
【請求項１２】
前記第２記録制御手段により読み出された前記第２記録媒体に記録されている前記情報を前記第１記録媒体に記録させる別の記録制御手段を備えていることから成る請求項３又は４に記載の情報記録再生装置。
【請求項１３】
前記情報は映像音声データであることから成る請求項３又は４に記載の情報記録再生装置。
【発明の詳細な説明】
【技術分野】
【０００１】
この発明は、デジタル方式で画像や音声情報を記録・再生する装置に関し、更に詳しくは、内蔵型又は連携するハードディスクなどの大容量記録媒体において、装置が対応するＤＶＤ（Ｄｉｇｉｔａｌ  ｖｅｒｓａｔｉｌｅ  Ｄｉｓｋ）などの着脱型の記録媒体と同量の記録容量を確保し、確保した記録領域に着脱型の記録媒体と同一の記録形式にて記録できる情報記録再生方法及び装置に関する。
【背景技術】
【０００２】
近年、ＭＰＥＧ１、ＭＰＥＧ２等のデジタル圧縮技術の標準化が進み、また、高性能なＣＰＵ（Ｃｅｎｔｒａｌ  Ｐｒｏｃｅｓｓｉｎｇ  Ｕｎｉｔ）、メモリ及びデータ蓄積媒体などが低価格で入手可能になってきている。こうした事情を背景に、映像データや音声データをデジタル化して蓄積し、大容量のデジタルデータを処理するマルチメディア機器が数多く商品化されてきている。このような機器には記録媒体としてその大容量性、高速性からハードディスク装置（以下、ＨＤＤ）を用いた物も数多く登場している。
【０００３】
また、一方でＤＶＤ（Ｄｉｇｉｔａｌ  ｖｅｒｓａｔｉｌｅ  Ｄｉｓｋ）と呼ばれるＣＤ（Ｃｏｍｐａｃｔ  Ｄｉｓｃ）と同じ大きさの光ディスクの記録媒体へ記録再生できる装置を用い、テレビ放送を直接録画する機器も登場している。ＤＶＤフォーラムが映像記録用途にフォーカスし規格化した、書き換え可能型ＤＶＤの規格であるＤＶＤ−ＲＷを例に取ると、最大記録容量は約４．７ＧＢであり、記録レートにもよるが１〜４時間程度の録画が可能となっている。
【０００４】
記録媒体としてそれぞれ単独で考慮した場合、ＨＤＤ、ＤＶＤには、ともに長所と短所が存在する。ＨＤＤは、ＤＶＤと比較すると容量が大きく高速であるので、このような特徴を生かして、高画質の長時間のテレビ番組を記録したり記録しながら再生を同時に行うという使用形態が可能である。ただし、ＨＤＤは、通常の機器では機器本体に内蔵され交換などは不可能になっているものが殆どであるので、大容量とはいえ限界があり、いつかは容量が不足する時期が到来する。したがって、ＨＤＤは、長期的に保存するものを記録しておくには容量を圧迫してしまうので不向きである。また、ＨＤＤを随時取り外すことはできないので、ＨＤＤを他の機器で再生することもできない。
【０００５】
一方、ＤＶＤは、ＨＤＤと比べ記録容量が少なく速度も遅い。しかしながら、記録再生装置から記録媒体（メディア）としてＤＶＤだけを着脱することができる。そのため１枚当たりの記録容量には限界があっても、複数枚使用することで無限にデータを保存することができる。また、ＤＶＤは、記録再生装置に着脱できることで他の機器で再生することも可能である。
【０００６】
最近では上記各記録媒体の長所、短所を考慮して、双方のメリットを享受できるように、ＨＤＤとＤＶＤ装置の双方を内蔵した録画機器も登場している。このような録画機器では、通常の録画は録画先のメディアの空き容量や間違いを気にせずに済むように大容量のＨＤＤに録画を行い、その後ある程度長期間保存しておきたい内容に関してのみＤＶＤへ内容を移し、ＨＤＤの内容は随時消去していくなどという使用法が一般的である。
【０００７】
上述のＨＤＤとＤＶＤ装置の双方を内蔵した録画機器においては、実際の使用上、以下の問題点を含有する。第一の問題点は、ＨＤＤへの映像の記録フォーマットにある。ＤＶＤの記録フォーマットは規格上編集などに制限が生じる場合があるが、ＨＤＤへの録画はこういった規格上の制約はないため、よりユーザに都合のいい記録フォーマットで記録を行うべきである。しかしながら最終的にＤＶＤへデータを移すことを前提とした場合は、ＤＶＤと同じ記録形式で録画しておいた方が、移動・複製する際に形式を変換する必要もなく、そのため高速で実行できるなどメリットが大きい。これら記録形式を事前にユーザに選択させる方法もあるが、これは一般のユーザ向けの機器としては非常にわかりにくいものである。
【０００８】
第二の問題点は、再生タイトルの選択時のユーザビリティにある。ＤＶＤなどのメディアへデータを移動又は複製し長期間保存をすることを前提とした場合、後の利便性を考慮すると、メディアには放送番組毎若しくは番組種別毎にしておくことが望ましい。放送番組毎に記録するメディアを用意するとして、１回の放送で１つのメディアの記録容量を全て使用してしまうとは限らず、１つのメディアに複数回の放送番組を記録することもある。このような場合、放送され録画する度に該当のディスクへデータを移動してもよいが、こうした作業はユーザにとって非常に面倒な作業であるとともに、追記できないディスクや機器の仕様の場合にはそもそもが不可能な行為である。そこで、通常は、固定の大容量記録媒体へ録画を続け、メディア１枚分の放送を録画した時点で一括してデータを移動又は複製することが行われている。しかしながら、メディア１枚に収めるよう放送が完結するまでには数週間から数ヶ月かかる場合もある。このような場合、過去の放送分は再生する必要がほとんどないにも関わらず、録画した番組のリストにはリストアップされてしまい、他の再生する番組を選択することの邪魔となる。このような実情は、番組選択をするに当たってユーザビリティを下げることとなってしまう。
【発明の開示】
【発明が解決しようとする課題】
【０００９】
そこで、記録媒体に記録した画像音声データ等の情報を将来ＤＶＤディスクのような別の記録媒体に複製・移動することがある場合に、その記録媒体上で、あたかも当該別の記録媒体が存在するかの如く取り扱い、複製・移動のための設定や操作を簡略化すると共に記録情報の整理をも可能にする点で解決すべき課題がある。
【００１０】
この発明の目的は、記録媒体に録画した放送番組についての画像音声データ等の情報を将来ＤＶＤディスクのような別の記録媒体に複製・移動することがある場合に、そうした複製・移動の際における煩わしい記録方式の設定を回避することや、或いは記録媒体に複数種類の情報が録画される場合に、それらの情報を分類・整理することを可能にすると共に再生や複製・移動を行い易いようにユーザビリティを向上することができる情報記録方法及び装置を提供することである。
【課題を解決するための手段】
【００１１】
上記の課題を解決するため、この発明による情報記録方法及び装置は以下のように構成されている。即ち、この発明による情報記録方法は、第１記録媒体と同一の記録容量で区切った特定記録領域を第２記録媒体に確保し、前記第２記録媒体の前記特定記録領域への記録が指示されることに応答して前記第１記録媒体へ記録する場合と同一の記録形式で目的の情報を前記第２記録媒体に記録し、前記第２記録媒体の前記特定記録領域への記録が完了した後に前記第２記録媒体に記録された前記情報を読出し、読み出された前記情報を前記第１記録媒体に記録させることから成っている。
【００１２】
この情報記録再生方法によれば、まず、第１記録媒体と同一の記録容量で区切った特定記録領域が第２記録媒体に確保される。第２記録媒体に確保された特定記録領域への記録が指示されると、特定記録領域にはその指示に応答して第１記録媒体へ記録する場合と同一の記録形式で目的の情報が記録される。第２記録媒体の特定記録領域への記録が完了した後に、第２記録媒体に記録された情報が読み出され、読み出された情報は第１記録媒体に記録される。したがって、第２記録媒体に対して、第１記録媒体と同一の記録容量を持つ特定記録領域を確保し、その特定記録領域を仮想的な記録媒体として取り扱うことが可能になる。第１記録媒体に記録する形式と同一の記録形式にてその仮想的な記録媒体に記録を行うので、第２記録媒体から第１記録媒体に記録内容を高速で複製・移動することが可能になる。第２記録媒体においては、通常の記録内容と第１記録媒体に複製・移動させる記録内容とを明示的に区分けして表示することも可能である。
【００１３】
この情報記録再生方法において、前記第１記録媒体を着脱型又は内蔵型の記録媒体とし、前記第２記録媒体を内蔵型の記録媒体とすることができる。第１記録媒体としては、ＤＶＤに着脱される光ディスクや外付けのＨＤＤを挙げることができる。第２記録媒体は、ローディング操作の必要がなく記録・再生が簡単に行える内蔵型の記録媒体とすることが好ましい。
【００１４】
この発明による情報記録再生装置は、第１記録媒体に対する情報の記録と前記第１記録媒体に記録された情報の再生を行う第１記録再生手段と、前記第１記録媒体と同一の記録容量で区切った特定記録領域が確保されている第２記録媒体と、前記第２記録媒体に対する情報の記録と前記第２記録媒体に記録された情報の再生を行う第２記録再生手段と、前記第２記録媒体の前記特定記録領域を前記第１記録媒体に対応した仮想的な第３記録媒体として提示する提示手段と、前記第３記録媒体に対する情報の記録の指示に応答して前記第２記録再生手段により前記第２記録媒体の前記特定記録領域に対して目的の前記情報を記録させる記録制御手段とを備えていることから成っている。
【００１５】
この情報記録再生装置によれば、第１記録媒体に対する情報の記録と第１記録媒体に記録された情報の再生については、第１記録再生手段が行う。装置に備わる第２記録媒体に対する情報の記録と第２記録媒体に記録された情報の再生は、第２記録再生手段によって行なわれる。第２記録媒体には、第１記録媒体と同一の記録容量で区切った特定記録領域が確保されている。提示手段は第２記録媒体の特定記録領域を第１記録媒体に対応した仮想的な第３記録媒体として提示するので、操作者は、第１記録媒体と同じ容量を持って存在するように見える第３記録媒体を取り扱うことができる。操作者が第３記録媒体に対して情報の記録を指示すると、記録制御手段は、そうした指示に応答して第２記録再生手段により第２記録媒体の特定記録領域に対して目的の情報を記録させる。したがって、第２記録媒体に第１記録媒体と同一の記録容量を持つ特定記録領域を確保し、その特定記録領域を仮想的な第３記録媒体として取り扱うことができる。第２記録媒体においては、通常の記録内容と、第１記録媒体に複製・移動させる記録内容とを明示的に区分けして表示することも可能である。第３記録媒体に記録した後、その記録内容を第１記録媒体へ複製・移動することにも、同じ記録容量を持っているので、安心した操作が可能である。
【００１６】
この情報記録再生装置は、前記第１記録媒体に対する情報の記録と前記第１記録媒体に記録された情報の再生を行う記録再生手段を備えた別の情報記録再生装置とネットワーク接続する接続手段と、前記接続手段を通じて前記情報を送受信する情報信号送受信手段とを更に備えることができる。第１記録媒体については、本情報記録再生装置に付設されたドライブで用いるなどの外に、別の情報記録再生装置に備わるものでもよい。この場合、第１記録媒体に対する情報の記録と第１記録媒体に記録された情報の再生は、当該別の情報記録再生装置に備わる記録再生手段によって行われる。本情報記録再生装置と当該別の情報記録再生装置との間の情報の送受信は、ネットワーク接続する接続手段を通じて且つ情報信号送受信手段によって行われるので、別の情報記録再生装置の設置位置は遠近を問わない。
【００１７】
この情報記録再生装置において、上記接続手段は、ＩＥＥＥ１３９４シリアルバスとすることができる。接続手段としては、映像情報伝送に適した高速データ通信規格であるＩＥＥＥ１３９４を採用したシリアルバスとすることができる。
【００１８】
この情報記録再生装置において、前記第１記録媒体を着脱型又は内蔵型の記録媒体とし、前記第２記録媒体を内蔵型の記録媒体とすることができる。第１記録媒体については、ＤＶＤ−Ｒ、ＤＶＤ−ＲＷ等のカートリッジの有無はあってもドライブに着脱型の記録媒体や、外付け又は内蔵されたＨＤＤに装着されている内蔵型の記録媒体とすることができる。
【００１９】
この情報記録再生装置において、前記記録制御手段は、前記第２記録再生手段により前記第２記録媒体の前記特定記録領域に対して、前記第１記録媒体へ記録する場合と同一の記録形式で前記情報を記録させることが好ましい。仮想的な記録媒体である第２記録媒体の特定記録領域に情報を記録する記録形式を、第１記録媒体に記録する形式と同一とすることによって、第２記録媒体の記録内容を第１記録媒体に高速で複製・移動することが可能になる。仮想的な第３記録媒体として、例えば、特定のリムーバブル記録媒体を設定しておくと、ユーザが第２記録媒体の記録内容をリムーバブル記録媒体に記録する際に記録形式のための複雑な設定をする必要がなく、リムーバブル記録媒体に対して自動的に互換性のある記録形式にて、高速に記録内容を容易に複製・移動することができる。
【００２０】
この情報記録再生装置において、前記記録制御手段は、前記第１記録媒体を認識し、前記第２記録媒体を前記第１記録媒体と同一の前記記録容量で自動的に区切ることにより前記第２記録媒体に前記特定記録領域を確保してもよい。第１記録媒体を指定することで、記録制御手段は、第１記録媒体の種類や容量を認識し第２記録媒体内に第１記録媒体と同一の記録容量で自動的に区切ることにより、第２記録媒体に特定記録領域を確保することが自動的に行われる。
【００２１】
この情報記録再生装置において、前記特定記録領域を複数設定すること、その場合に各特定記録領域を異なる記録容量で設定すること、或いは各特定記録領域には異なる記録形式で記録させることができる。このように設定可能にしておくことにより、記録形式や記録容量が異なる第１記録媒体が複数種類あっても、第２記録媒体には、各第１記録媒体に対して仮想の記録媒体を対応して用意することができる。
【００２２】
この情報記録再生装置において、前記第２記録制御手段により読み出された前記第２記録媒体に記録されている前記情報を前記第１記録媒体に記録させる別の記録制御手段を備えることができる。第２記録媒体に記録されている情報を別の記録制御手段によって第１記録媒体に記録させることにより、第１記録媒体への記録を、第２記録媒体への記録・再生に影響を及ぼすことなく実行することができる。
【００２３】
この情報記録再生装置において、前記情報は、テレビ画像・音声データやビデオ録画・録音データのような映像音声データとすることができる。
【発明の効果】
【００２４】
この発明による記録再生方法及び装置は、上記のように、第１記録媒体と同一の記録容量で区切った特定記録領域を第２記録媒体に確保し、第２記録媒体の特定記録領域への記録が指示されることに応答して第１記録媒体へ記録する場合と同一の記録形式で目的の情報を第２記録媒体に記録し、第２記録媒体の特定記録領域への記録が完了した後に前記第２記録媒体に記録された前記情報を読出し、読み出された前記情報を前記第１記録媒体に記録させており、第２記録媒体の特定記録領域を第１記録媒体に対応した仮想的な第３記録媒体として提示する。したがって、第２記録媒体内に特定記録領域を、第１記録媒体を取り扱うのと同じ要領で取り扱い、特定記録領域内に記録された内容を後で第１記録媒体へ複製・移動させるときの記録形式等の設定を簡素化することができる。また、第１記録媒体に記録する形式と同一の記録形式にてその仮想的な記録媒体に記録を行う場合には、その後に第２記録媒体から第１記録媒体に記録内容を複製・移動する際の記録速度を高速で行うことができる。また、仮想的な第３記録媒体として特定の第１記録媒体を設定しておくことで、ユーザが第２記録媒体に記録する際に、記録内容の第１記録媒体への高速な複製・移動を容易にする記録形式を予め複雑な手順で設定する必要がなく、自動的に互換性のある記録形式にて記録することができる。更に、後日、第１記録媒体に複製・移動させる記録内容を、第２記録媒体に通常に記録している内容と明示的に区分けして表示することが可能であり、内容の選択を容易にするという効果も奏する。
【発明を実施するための最良の形態】
【００２５】
以下、添付した図面に基づいて、この発明による情報記録装置及び情報記録方法の実施例を説明する。図１は、本発明の一実施形態に係わる情報記録再生装置の構成例を説明するためのブロック図である。図１に示す情報記録再生装置は、アナログ放送受信部１、ジタル放送受信部２、情報源符号化部３、情報源復号部４、表示制御部５、ストリーム制御部６、内蔵型の磁気記憶装置であるＨＤＤ７，ＣＤ／ＤＶＤ等の光ディスクの読み書きが可能な内蔵型のリーダ／ライタであるディスクドライブ８、ＯＳＤ（Ｏｎ  Ｓｃｒｅｅｎ  Ｄｉｓｐｌａｙ  ）生成部９、システム制御部１０及び指示部１１を備えている。
【００２６】
アナログ放送の視聴の場合、図示しないアンテナから入力された高周波信号（アナログ変調信号）がアナログ放送受信部１で復調され、表示制御部５に入力される。表示制御部５は、ＯＳＤ生成部９からの入力を合成して表示制御出力信号を生成し、その表示制御出力信号を図示しないディスプレイ上に出力する。ユーザは表示制御出力信号に対応したアナログ放送番組を視聴することができる。
【００２７】
デジタル放送の視聴の場合、アンテナから入力された高周波信号（デジタル変調信号）がデジタル放送受信部２で復調され、更に、情報源復号部４において、映像信号及び音声信号に復号された後、表示制御部５に入力される。表示制御部５は、ＯＳＤ生成部９からの入力を合成して表示制御出力信号を生成し、その表示制御出力信号を図示しない表示装置の画面上に出力する。ユーザは表示制御出力信号に対応したデジタル放送番組を視聴することができる。尚、本例では、アナログ放送受信部１及びデジタル放送受信部２の両方を備えた構成としているが、いずれか一方の受信部を備えた構成としてもよい。
【００２８】
アナログ放送番組を記録する場合、アンテナから入力された高周波信号（アナログ変調信号）がアナログ放送受信部１で復調され、更に、情報源符号化部３において符号化される。符号化されたデータはストリーム制御部６において記録に適した形式（ストリーム）に変換されてＨＤＤ７又はディスクドライブ８により光ディスク１０１に映像コンテンツ（以下、しばしば番組という）として記録される。
【００２９】
また、デジタル放送番組を記録する場合、アンテナから入力された高周波信号（デジタル変調信号）がデジタル放送受信部２で復調され、ストリーム制御部６を経由してＨＤＤ７又はディスクドライブ８により光ディスク１０１に映像コンテンツとして記録される。
【００３０】
再生動作を行う場合、ＨＤＤ７又は光ディスク１０１に記録された映像データはストリーム制御部６を経由して情報源復号部４に入力され、情報源復号部４において映像出力可能な形式に変換されて表示制御部５から出力される。
【００３１】
高速ダビングを行う場合、ＨＤＤ７又は光ディスク１０１に記録された映像コンテンツを、他のＨＤＤ又は光ディスクにコピー（又は移動）する。この高速ダビングモードではデータのフォーマットを変換せずに単にコピー（又は移動）を行う。したがって、ダビングは、高い転送レートで行うことができるために高速である。しかし、映像コンテンツによっては高速ダビングができるものとできないものが存在するため、その可否を判定する必要がある。上記処理はシステム制御部１０が行う。
【００３２】
フォーマット変換を伴うダビングを行う場合（その１）、ＨＤＤ７又は光ディスク１０１に記録された映像コンテンツを、ストリーム制御部６でフォーマット変換した後に、他のＨＤＤ又は光ディスクにコピー（又は移動）を行う。このダビングモードは、特にＤＶＤへのダビングに適したフォーマットに変換する。
【００３３】
フォーマット変換を伴うダビングを行う場合（その２）、ＨＤＤ７又は光ディスク１０１に記録された映像コンテンツをストリーム制御部６・情報源復号部４に入力し、ストリーム制御部６・情報源復号部４を経由して、一旦復号化された映像コンテンツを再度情報源符号化部３に入力し、再符号化を行い、更に、ストリーム制御部６を経由して他のＨＤＤ又は光ディスクに記録する。
【００３４】
本実施形態の情報記録再生装置は、ＨＤＤ７の記録領域の一部を仮想的にＨＤＤ７とは別の記録ディスクとしてユーザに提示し、その仮想記録ディスクに対して放送番組の記録・再生を可能とする機能を備え、この仮想ディスク機能は、ＨＤＤ７、表示制御部５、ＯＳＤ生成部９、システム制御部１０及び指示部１１を用いて実現される。
【００３５】
図２は、本発明が適用される記録再生装置のＨＤＤ７及び光ディスク１０１の記録領域を模式的に表した図である。本実施形態の情報記録再生装置において、光ディスク１０１はＤＶＤである。ＨＤＤ（第２記録媒体に相当）７の記録領域にＤＶＤ（第１記録媒体に相当）の記録容量と同量の記録容量を持つ特定記録領域（そのうちの一つを２１で示す）を３つ確保し、それぞれ仮想ディスクＶＤ１、仮想ディスクＶＤ２、仮想ディスクＶＤ３とする。この模式図においては、仮想ディスクＶＤ１はその記録領域２１全てにＤＶＤへの記録形式と同じ形式で番組が記録されおり、仮想ディスクＶＤ２及び仮想ディスクＶＤ３は空きの状態である。仮想ディスクでないＨＤＤの記録領域２２にも記録が行われているが、これは必ずしもＤＶＤと同じ記録形式ではない。実際のＨＤＤ７の記録容量は仮想ディスクＶＤ１〜ＶＤ３を含んだものであるが、ユーザに対してはそれらを除いた記録領域２２がＨＤＤの記録容量として提示される。ＨＤＤ７の特定記録領域２１へ記録が指示されると、その指示に応答して、目的の情報は、ＤＶＤへ記録する場合と同一の記録形式でＨＤＤ７の特定記録領域２１に記録される。特定記録領域２１への記録が完了した後に、そこに記録された情報は、ＤＶＤの記録形式と同一形式であるため、高速でＤＶＤに記録される。複数個の特定記録領域に対応して複数の仮想ディスクＶＤ１〜ＶＤ３が確保されているので、放送番組等の映像データの情報は、各仮想ディスクに放送番組毎又は番組種別毎に整理して記録することができる。
【００３６】
図３は、図２に示したＨＤＤ７の記録領域を模式的に表した記録状態を、ユーザに提示する際の表示例である。ＨＤＤにはまだ空き容量があり、仮想ディスクＶＤ１は空き容量無し、仮想ディスクＶＤ２、仮想ディスクＶＤ３は完全に空いている状態として表示される。
【００３７】
以下、図４を用いて、該記録再生装置の仮想ディスクに録画を行う方法、更に録画した番組を再生する方法の一例を説明する。尚、図４は本実施形態の情報記録再生装置の指示部１１である操作リモコン４０の一例を示す図である。操作リモコン４０は、ＨＤＤボタン４１、ＤＶＤボタン４２、ＶＤ１ボタン４３、ＶＤ２ボタン４４、ＶＤ３ボタン４５、録画ボタン４６、録画リストボタン４７、再生ボタン４８を備えている。ボタン４１〜４５は該記録再生装置の動作モードを切り換えるボタンであり、それらのボタンが押された場合、該記録再生装置はそれぞれの動作モードに切り換わる。各動作モードの状態では、例えばＨＤＤモードの場合、録画はＨＤＤに対して行われ、録画リストを表示するとＨＤＤに記録された番組が一覧として表示されることとなる。録画ボタン４６は、記録媒体に対して記録の開始を指示するボタンである。このボタンが押された場合、システム制御部１０（図１参照）は現在の動作モードである記録媒体に対して記録を行う。録画リストボタン４７は、記録媒体に記録されている番組をＯＳＤにより一覧表示するよう指示するボタンである。このボタンが押された場合、システム制御部１０は現在の動作モードである記録媒体に記録されている番組の一覧をＯＳＤ生成部９（図１参照）により作成し、ディスプレイ上に表示する。再生ボタン４８は、記録媒体に記録されている番組の再生を開始するよう指示するボタンである。このボタンが押された場合、システム制御部１０は現在の動作モードである記録媒体に記録されている所定の番組の再生を行う。
【００３８】
まず、ユーザは記録しようとしている記録媒体を選択し、該当する操作リモコン４０のボタンを押す。システム制御部１０（図１参照）は押されたＨＤＤボタン４１、ＤＶＤボタン４２、ＶＤ１ボタン４３、ＶＤ２ボタン４４、ＶＤ３ボタン４５の何れかに応じて、動作モードをそれぞれＨＤＤ、ＤＶＤ、ＶＤ１、ＶＤ２、ＶＤ３に設定する。ここでユーザは録画ボタン４６を押すと、希望の記録媒体に対して録画が開始される。録画停止後、再生する場合は録画リストボタン４７を押し、録画された番組のリストから選択するか、再生ボタン４８を押しダイレクトに再生を開始させる。ここで録画した記録媒体と異なる媒体に記録された録画番組を再生する場合は、再度、該当の動作モード切り換えボタン４１〜４５を押し動作モードを切り換えた後に、上記同様、録画リストを表示するか再生ボタンにて再生を開始させる。
【００３９】
以下、図５及至図７に基づいて、この発明による記録再生装置によって実行される録画予約方法の一例を説明する。なお、図５は本発明の仮想ディスクに対して録画予約を行う方法の一例を説明するためのフロー図であり、図６及び図７は、それぞれ、図５に示すフローに対応した画面遷移例を示す図である。
【００４０】
図５は、本発明が適用される仮想ディスクに対して録画予約を行う方法の一例を説明するためのフロー図である。まず、記録再生装置は図示しないＥＰＧ（Ｅｌｅｃｔｒｏｎｉｃ  Ｐｒｏｇｒａｍ  Ｇｕｉｄｅ）を表示させる（ステップＳ５１）。ＥＰＧには、選択可能な番組がその受信チャンネル（放送局）や日時に従って表示されており、録画予約を行いたい場合、ユーザは希望の該当する番組を選択し（ステップＳ５２）、これに応じて、記録再生装置は、下記の図６に示す録画先の選択画面を表示させる。
【００４１】
図６は録画先の選択画面例を示す図で、録画先選択画面には、録画可能な録画先が選択可能な状態で表示されている。また同画面には、ＥＰＧで選択した番組に関する情報も合わせて表示される。図中、符号６１，６２，６３で示すものは、はそれぞれ録画先選択ボタンであり、どれか１つにフォーカスが当たっている状態で表示されている。ユーザは指示部１１で所望の録画先として録画先選択ボタン６１，６２，６３のいずれかにフォーカスを合わせ、決定することで録画先が選択される（ステップＳ５３）。尚、本例では各録画先を１つ選択するようにしているが、同時に録画が可能な場合、複数の録画先を選択できるようにしてもよい。
【００４２】
次に、記録再生装置は、ユーザにより選択された録画先が、「仮想ディスク」かそれ以外の録画先かを判断し（ステップＳ５４）、「仮想ディスク」が選択されたと判断した場合、ステップＳ５５に移行し、ステップＳ５５において、記録再生装置は、下記の図７に示す録画先の仮想ディスクの選択画面を表示させる。
【００４３】
図７は録画先の仮想ディスクの選択画面例を示す図で、仮想ディスク選択画面には、録画先としての仮想ディスクが選択可能な状態で表示されている。また、同画面には図６の録画先選択画面同様、ＥＰＧで選択した番組に関する情報も合わせて表示される。図中、符号７１，７２，７３で示すものはそれぞれ録画先の仮想ディスク選択ボタンであり、どれか１つにフォーカスが当たっている状態で表示されている。ユーザは指示部１１で所望の録画先として仮想ディスク選択ボタン７１，７２，７３のいずれかにフォーカスを合わせ、決定することで録画先の仮想ディスクが選択される（ステップＳ５５）。なお、本例では各仮想ディスクを１つ選択するようにしているが、同時に録画が可能な場合、複数の仮想ディスクを選択できるようにしてもよい。
【００４４】
次に、記録再生装置は、ステップ５６に移行し、図示しない録画予約に関する録画先以外の設定を行う詳細設定画面を表示する。ユーザはその画面にて所望の動作を行うよう各種設定を行う（ステップＳ５６）。
【００４５】
詳細の設定が完了した場合、ステップＳ５７に移行し、ステップＳ５７において、該記録再生装置は、図示しない録画予約登録画面を表示させて、新規に録画予約を登録する（ステップＳ５７）。
【図面の簡単な説明】
【００４６】
【図１】本発明の一実施形態に係わる記録再生装置の構成例を説明するためのブロック図である。
【図２】本発明が適用される記録再生装置のＨＤＤ７および光ディスク１０１の記録領域を模式的に表した図である。
【図３】図２に示したＨＤＤ７の記録領域を模式的に表した記録状態を、ユーザに提示する際の表示例である。
【図４】本実施形態の情報記録再生装置の指示部１１である操作リモコン４０の一例を示す図である。
【図５】本発明が適用される仮想ディスクに対して録画予約を行う方法の一例を説明するためのフロー図である。
【図６】予約録画を行う際の録画先記録媒体の選択画面例を示す図である。
【図７】予約録画を行う際の録画先仮想ディスクの選択画面例を示す図である。
【符号の説明】
【００４７】
１  アナログ放送受信部
２  ジタル放送受信部
３  情報源符号化部
４  情報源復号部
５  表示制御部
６  ストリーム制御部
７  ＨＤＤ（内蔵型の磁気記憶装置）
８  ディスクドライブ
９  ＯＳＤ（Ｏｎ  Ｓｃｒｅｅｎ  Ｄｉｓｐｌａｙ）生成部
１０  システム制御部
１１  指示部
２１  記録領域（仮想ディスクＶＤ１）
２２  記録領域
４０  操作リモコン
４１  ＨＤＤボタン
４２  ＤＶＤボタン
４３  ＶＤ１ボタン
４４  ＶＤ２ボタン
４５  ＶＤ３ボタン
４６  録画ボタン
４７  録画リストボタン
４８  再生ボタン
６１，６２，６３  録画先選択ボタン
７１，７２，７３  仮想ディスク選択ボタン
１０１  光ディスク
ＶＤ１〜ＶＤ３  仮想ディスク
【図１】
2005276389.tif 000003
【図２】
2005276389.tif 000004
【図３】
2005276389.tif 000005
【図４】
2005276389.tif 000006
【図５】
2005276389.tif 000007
【図６】
2005276389.tif 000008
【図７】
2005276389.tif 000009